(57)【特許請求の範囲】
【請求項１】
商品の陳列機能を有する組立式梱包箱であって、
矩形状に構成された底部の外縁を形成する第１〜４辺部各々から立ち上がった第１〜４側壁部を有し、商品が収納される箱部と、
前記第１辺部から立ち上がった前記第１側壁部から、この第１側壁部と対向する第３側壁部側に延びる板状の傾斜フラップと、
前記第１辺部と隣接する前記第２辺部から、この第２辺部と対向する第４辺部側に延びて前記底部の底壁を構成するとともに、前記第２辺部から立ち上がった前記第２側壁部に対して揺動可能に連結された第１底壁フラップと、
前記第４辺部から立ち上がった第４側壁部に対して揺動可能に連結され、前記第４辺部から前記第２辺部側に延びて前記底部の底壁を構成する第２底壁フラップと、
前記第３辺部から立ち上がった前記第３側壁部に対して揺動可能に連結され、前記第３辺部から前記第１辺部側に延びて前記底部の底壁を構成する第３底壁フラップと、
前記第１底壁フラップ及び前記第２底壁フラップの先端部に設けられ、一方側の底壁フラップから他方側の底壁フラップ側に突出して互いに係合する係合フラップとを備え、
前記第１底壁フラップの一部が前記傾斜フラップに接合されているとともに、前記第１底壁フラップには、谷折り状に前記箱部の内方側に向けて折り込まれる第１折り込み線が設けられ、
前記第２底壁フラップの一部が前記第３底壁フラップに接合されているとともに、前記第２底壁フラップ又は前記第３底壁フラップには、谷折り状に前記箱部の内方側に向けて折り込まれる第２折り込み線が設けられ、
前記傾斜フラップは、その板状部が前記第１辺部と平行となるように前記第１側壁部に対して揺動可能に連結されており、
さらに、前記傾斜フラップの外形寸法のうち、前記第１側壁部との連結部から先端側に至る延出寸法は、前記第１側壁部から前記第３側壁部までの距離寸法より大きいことを特徴とする組立式梱包箱。
【請求項２】
前記傾斜フラップの外縁のうち前記第２側壁部側は、前記第４側壁部側に凹むように湾曲していることを特徴とする請求項１に記載の組立式梱包箱。
【請求項３】
前記傾斜フラップの前記板状部には、前記第１側壁部との連結部側から先端側に延びるともに、その厚み方向に突出した圧印加工による突条が設けられていることを特徴とする請求項１又は２に記載の組立式梱包箱。
【請求項４】
前記第１〜第４側壁部、前記傾斜フラップ及び前記第１〜３底壁フラップは、１枚の板状部材から打ち抜かれた展開部材が折り曲げられて形成されていることを特徴とする請求項３に記載の組立式梱包箱。
【発明の詳細な説明】
【技術分野】
【０００１】
本発明は、商品の陳列機能を有する組立式梱包箱に関するものである。
【背景技術】
【０００２】
商品の陳列機能を有する組立式梱包箱として、例えば特許文献１に記載の発明では、箱の中に商品を入れて搬送する際には、同じ形状の組立式梱包箱と連結して使用し、小売りする際には、連結された組立式梱包箱を分離して使用できるようにしている。
【特許文献１】実開平５−６１０１３号公報
【発明の開示】
【発明が解決しようとする課題】
【０００３】
ところで、商品を陳列棚等に陳列する際には、消費者が商品全体を容易に視認することができるように商品を傾斜させた状態で陳列することが望ましい。
これに対して、特許文献１に記載の発明では、組立式梱包箱それ自体を傾けた状態で陳列棚に配置しないかぎり、商品を傾斜させて陳列することができないので、商品を陳列する際の作業が繁雑となってしまう。
【０００４】
本発明は、上記点に鑑み、商品を組立式梱包箱に収納した状態で商品を傾斜させて陳列することが可能な組立式梱包箱を提供することを目的とする。
【課題を解決するための手段】
【０００５】
本発明は、上記目的を達成するために、請求項１に記載の発明では、商品の陳列機能を有する組立式梱包箱であって、矩形状に構成された底部（３Ａ）の外縁を形成する第１〜４辺部（３１〜３４）各々から立ち上がった第１〜４側壁部（３１Ａ〜３４Ａ）を有し、商品が収納される箱部（３）と、第１辺部（３１）から立ち上がった第１側壁部（３１Ａ）から、この第１側壁部（３１Ａ）と対向する第３側壁部（３３Ａ）側に延びる板状の傾斜フラップ（４）と、第１辺部（３１）と隣接する第２辺部（３２）から、この第２辺部（３２）と対向する第４辺部（３４）側に延びて底部（３Ａ）の底壁を構成するとともに、第２辺部（３２）から立ち上がった第２側壁部（３２Ａ）に対して揺動可能に連結された第１底壁フラップ（３２Ｂ）と、第４辺部（３４）から立ち上がった第４側壁部（３４Ａ）に対して揺動可能に連結され、第４辺部（３４）から第２辺部（３２）側に延びて底部（３Ａ）の底壁を構成する第２底壁フラップ（３４Ｂ）と、第３辺部（３３）から立ち上がった第３側壁部（３３Ａ）に対して揺動可能に連結され、第３辺部（３３）から第１辺部（３１）側に延びて底部（３Ａ）の底壁を構成する第３底壁フラップ（３３Ｂ）と、第１底壁フラップ（３２Ｂ）及び第２底壁フラップ（３４Ｂ）の先端部に設けられ、一方側の底壁フラップから他方側の底壁フラップ側に突出して互いに係合する係合フラップ（３２Ｃ、３４Ｃ）とを備え、第１底壁フラップ（３２Ｂ）の一部が傾斜フラップ（４）に接合されているとともに、第１底壁フラップ（３２Ｂ）には、谷折り状に箱部（３）の内方側に向けて折り込まれる第１折り込み線（Ｌ１）が設けられ、第２底壁フラップ（３４Ｂ）の一部が第３底壁フラップ（３３Ｂ）に接合されているとともに、第２底壁フラップ（３４Ｂ）又は第３底壁フラップ（３３Ｂ）には、谷折り状に箱部（３）の内方側に向けて折り込まれる第２折り込み線（Ｌ２）が設けられ、傾斜フラップ（４）は、その板状部（４Ａ）が第１辺部（３１）と平行となるように第１側壁部（３１Ａ）に対して揺動可能に連結されており、さらに、傾斜フラップ（４）の外形寸法のうち、第１側壁部（３１Ａ）との連結部（３１）から先端側に至る延出寸法（Ｌ）は、第１側壁部（３１Ａ）から第３側壁部（３３Ａ）までの距離寸法（Ｌｏ）より大きいことを特徴とする。
【０００６】
そして、請求項１に記載の発明では、傾斜フラップ（４）の延出寸法（Ｌ）が第１側壁部（３１Ａ）と第３側壁部（３３Ａ）との間の距離寸法（Ｌｏ）より大きいので、傾斜フラップ（４）は底部（３Ａ）側において、底部（３Ａ）に対して傾斜した状態となる。
【０００７】
したがって、商品が箱部（３）に収納された状態で商品が底部（３Ａ）に対して傾斜した状態となるので、組立式梱包箱の蓋を開け、商品が箱詰めされた状態で組立式梱包箱ごと商品を陳列すれば、その時点で、商品を傾斜させた状態で陳列することができる。
【０００８】
また、傾斜フラップ（４）は、その板状部（４Ａ）が第１辺部（３１）と平行となるように第１側壁部（３１Ａ）に対して揺動可能に連結されているので、潰れた状態の組立式梱包箱を起こすように開くことにより、傾斜フラップ（４）が自動的に底部（３Ａ）側に傾斜した状態となる。
【０００９】
つまり、組立式梱包箱が潰された状態では、第１底壁フラップ（３２Ｂ）が第１折り込み線（Ｌ１）にて折り曲げられて傾斜フラップ（４）と平行となるように対向している。
そして、この潰された状態から組立式梱包箱を起こすように開くと、第１折り込み線（Ｌ１）部分が開いていくので、これに連動して傾斜フラップ（４）が、次第に傾斜していく。
【００１０】
したがって、潰れた状態の組立式梱包箱を起こすように開く際に、傾斜フラップ（４）を確実に底部（３Ａ）側に傾斜した状態とすることができる。
また、第２底壁フラップ（３４Ｂ）の一部が第３底壁フラップ（３３Ｂ）に接合されているとともに、第２底壁フラップ（３４Ｂ）又は第３底壁フラップ（３３Ｂ）は谷折り状に箱部（３）の内方側に向けて折り込まれているので、組立式梱包箱を開くと、第１底壁フラップ（３２Ｂ）及び第２底壁フラップ（３４Ｂ）の先端部に設けられた係合フラップ（３２Ｃ、３４Ｃ）が自動的に係合して底壁が形成される。したがって、組立式梱包箱を開く際の作業性を向上させることができる。
【００１１】
以上のように、請求項１に記載の発明では、容易に商品を傾斜させた状態で陳列することができるとともに、商品が箱詰めされた状態で傾斜陳列可能な箱を容易に組み立てることができる。
【００１２】
なお、第１辺部（３１）は第１側壁部（３１Ａ）に含まれ、同様に、第２辺部（３２）は第２側壁部（３２Ａ）に含まれ、第３辺部（３３）は第３側壁部（３３Ａ）に含まれ、第４辺部（３４）は第４側壁部（３４Ａ）に含まれる。
【００１３】
また、本出願でいう「組立式梱包箱」とは、組み立てられて、いわゆる箱状となっている場合は勿論のこと、組み立てられる前の潰された状態も含むものである。
ところで、潰れた状態の組立式梱包箱を開く際には、傾斜フラップ（４）全体が湾曲するので、請求項２に記載の発明のごとく、傾斜フラップ（４）の外縁のうち第２側壁部（３２Ａ）側を第４側壁部（３４Ａ）側に凹むように湾曲させれば、組立式梱包箱を開く際に傾斜フラップ（４）の第２側壁部（３２Ａ）側を第２側壁部（３２Ａ）に沿うような形状とすることができる。
【００１４】
したがって、組立式梱包箱を開く際に、傾斜フラップ（４）をスムーズに傾斜状態まで変位させることができるので、組立式梱包箱を開く際の作業性を向上させることができる。
【００１５】
請求項３に記載の発明では、傾斜フラップ（４）の板状部（４Ａ）には、第１側壁部（３１Ａ）との連結部（３１）側から先端側に延びるともに、その厚み方向に突出した圧印加工による突条（４Ｃ）が設けられていることを特徴とする。
【００１６】
これにより、請求項３に記載の発明では、傾斜フラップ（４）の曲げ剛性を高めることができるので、商品を確実に傾斜状態として陳列することができる。
請求項４に記載の発明では、第１〜第４側壁部（３４Ａ）、傾斜フラップ（４）及び第１〜３底壁フラップ（３２Ｂ、３Ｂ、３４Ｂ）は、１枚の板状部材から打ち抜かれた展開部材（２）が折り曲げられて形成されていることを特徴とする。
【００１７】
これにより、請求項４に記載の発明では、展開部材（２）を打ち抜くための木型を簡素な構成とすることができるので、組立式梱包箱の生産性を向上させることができる。
因みに、上記各手段等の括弧内の符号は、後述する実施形態に記載の具体的手段等との対応関係を示す一例であり、本発明は上記各手段等の括弧内の符号に示された具体的手段に限定されるものではない。
【発明を実施するための最良の形態】
【００１８】
本実施形態は、薄い袋状にパッケージングされた商品Ｃ（図１参照）を収納するための組立式梱包箱に本発明を適用したものであり、以下に本発明の実施形態を図面と共に説明する。
【００１９】
１．図面の説明
図１は商品Ｃの外観を示す図であり、図２は商品Ｃが本実施形態に係る組立式梱包箱１に収納された状態を示す図であり、図３は組立式梱包箱１の上部を除去した状態を示す図であり、図４は組立式梱包箱１の展開図であり、図５は組立式梱包箱１の斜視図である。
【００２０】
また、図６は組立式梱包箱１の下面図であり、図７は底部３Ａを内側から見た図であり、図８は組立式梱包箱１の内部を上方側から見た図であり、図９〜図１３は組立式梱包箱１の組立過程を上方側から見た図であり、図１４〜図１６は組立式梱包箱１の組立過程を下面側から見た図である。
【００２１】
２．組立式梱包箱の構造
本実施形態に係る組立式梱包箱１は、図４に示すシート状の展開部材２が折り曲げられて形成されたものであり、この展開部材２は、１枚の紙製板状部材から打ち抜き形成されたものである。
【００２２】
また、組立式梱包箱１は、図５に示すように、組み立てられた状態では六面体状の立方形状であり、商品Ｃが収納される箱部３は、矩形状に構成された底部３Ａの外縁を形成する第１〜４辺部３１〜３４各々から立ち上がった第１〜４側壁部３１Ａ〜３４Ａ等から構成されている。
【００２３】
ここで、第１側壁部３１Ａは、第１辺部３１から上方側に立ち上がった矩形板状の壁部であり、第２側壁部３２Ａは、第１辺部３１に隣接する第２辺部３２から上方側に立ち上がった矩形板状の壁部である。
【００２４】
第３側壁部３３Ａは、第１側壁部３１Ａと対向するとともに、第２辺部３２に隣接する第３辺部３３から上方側に立ち上がった矩形板状の壁部であり、第４側壁部３４Ａは、第２側壁部３２Ａと対向するとともに、第３辺部３３に隣接する第４辺部３４から上方側に立ち上がった矩形板状の壁部である。
【００２５】
なお、以下の説明においては、第１辺部３１は第１側壁部３１Ａに含まれ、同様に、第２辺部３２は第２側壁部３２Ａに含まれ、第３辺部３３は第３側壁部３３Ａに含まれ、第４辺部３４は第４側壁部３４Ａに含まれるものとして説明する。
【００２６】
そして、第１辺部３１には、第３側壁部３３Ａ側に延びる板状の傾斜フラップ４が設けられており、この傾斜フラップ４は、その板状部４Ａが第１辺部３１と平行となるように、第１辺部３１において第１側壁部３１Ａに対して揺動可能となっている。
【００２７】
また、傾斜フラップ４の外形寸法のうち、第１側壁部３１Ａとの連結部、つまり第１辺部３１から先端側に至る延出寸法Ｌは、第１側壁部３１Ａから第３側壁部３３Ａまでの距離寸法Ｌｏより大きい寸法に設定されている。
【００２８】
そして、組立式梱包箱１が組み立てられた状態では、傾斜フラップ４の先端側が第３側壁部３３Ａに接触することにより、傾斜フラップ４は、底部３Ａ側において、底部３Ａに対して傾斜した状態となっている。
【００２９】
また、第２辺部３２には、図６に示すように、第４辺部３４（第４側壁部３４Ａ）側に延びて底部３Ａの底壁を構成する第１底壁フラップ３２Ｂが設けられており、この第１底壁フラップ３２Ｂは、第２辺部３２において、第２側壁部３２Ａに対して揺動可能となっている。
【００３０】
一方、第４辺部３４には、第４辺部３４から第２辺部３２側に延びて、第１底壁フラップ３２Ｂと共に底部３Ａの底壁を構成する第２底壁フラップ３４Ｂが設けられており、この第２底壁フラップ３４Ｂは、第４辺部３４において、第４側壁部３４Ａに対して揺動可能となっている。
【００３１】
そして、第１底壁フラップ３２Ｂ及び第２底壁フラップ３４Ｂの先端部には、一方側の底壁フラップから他方側の底壁フラップ側に突出して互いに係合する係合フラップ３２Ｃ、３４Ｃが設けられており、これら２つの係合フラップ３２Ｃ、３４Ｃが係合することにより、第１底壁フラップ３２Ｂ及び第２底壁フラップ３４Ｂが外側に開いてしまうことを防止している。
【００３２】
なお、係合フラップ３２Ｃには、図７に示すように、第１辺部３１側に突出する略三角状の係合部３２Ｄが設けられ、同様に、係合フラップ３４Ｃには第３辺部３３側に突出する略三角状の係合部３４Ｄが設けられている。
【００３３】
そして、係合部３２Ｄ、３４Ｄの斜辺部３２Ｅ、３４Ｅは、両係合フラップ３２Ｃ、３４Ｃが係合した状態において、第２辺部３２及び第４辺部３４と直交する方向Ｄ１に対して傾斜しているとともに、両斜辺部３２Ｅ、３４Ｅが交わる点Ｏ１に対して略回転対称となっている。
【００３４】
また、各係合フラップ３２Ｃ、３４Ｃのうち点Ｏ１を通る方向Ｄ１を挟んで斜辺部３２Ｅ、３４Ｅと反対側には、箱部３内側に向けて係合部３２Ｄ、３４Ｄを折り曲げるための折り込み線３２Ｆ、３４Ｆが設けられており、これらの折り込み線３２Ｆ、３４Ｆは、潰された状態の組立式梱包箱１が組み立てられていく途中の状態において、第１辺部３１及び第４辺部３４と略平行となるように方向Ｄ１に対して傾斜している。
【００３５】
また、第３辺部３３には、図６に示すように、第３辺部３３から第１辺部３１側に延びて底部３Ａの底壁を構成する第３底壁フラップ３３Ｂが設けられており、この第３底壁フラップ３３Ｂは、第３側壁部３３Ａに対して第３辺部３３において揺動可能となっている。
【００３６】
そして、第１底壁フラップ３２Ｂの一部（図６のＰ１部分）が、第１辺部３１側にて傾斜フラップ４に接合されているとともに、第１底壁フラップ３２Ｂには、谷折り状に箱部３の内方側に向けて折り込まれる第１折り込み線Ｌ１が設けられている。なお、第１折り込み線Ｌ１は組み立てられた箱部３において、第１辺部３１及び第２辺部３２に対して略４５度傾いている。
【００３７】
同様に、第２底壁フラップ３４Ｂの一部（図６のＰ２部分）が、第３辺部３３側にて第３底壁フラップ３３Ｂに接合されているとともに、第２底壁フラップ３４Ｂには、谷折り状に箱部３の内方側に向けて折り込まれる第２折り込み線Ｌ２が設けられている。なお、第２折り込み線Ｌ２は組み立てられた箱部３において、第３辺部３３及び第４辺部３４に対して略４５度傾いている。
【００３８】
３．展開部材の構成
組立式梱包箱１の展開部材２は、図４に示すように、左側から第２側壁部３２Ａ、第１側壁部３１Ａ、第４側壁部３４Ａ、第３側壁部３３Ａの順で並んでいるとともに、各側壁部３１Ａ〜３４Ａの境界部には、折り曲げ用の罫線Ｌ３〜Ｌ６が設けられている。
【００３９】
同様に、第１側壁部３１Ａのうち第１辺部３１に相当する部位には、傾斜フラップ４を構成するための折り曲げ用の罫線Ｌ７が設けられ、第２側壁部３２Ａのうち第２辺部３２に相当する部位には、第１底壁フラップ３２Ｂを構成するための折り曲げ用の罫線Ｌ８が設けられている。
【００４０】
そして、第４側壁部３４Ａのうち第４辺部３４に相当する部位には、第２底壁フラップ３４Ｂを構成するための折り曲げ用の罫線Ｌ９が設けられ、第３側壁部３３Ａのうち第３辺部３３に相当する部位には、第３底壁フラップ３３Ｂを構成するための折り曲げ用の罫線Ｌ１０が設けられている。
【００４１】
また、第３側壁部３３Ａの上端に相当する部位には、箱部３の上方側を閉塞する蓋５及び蓋５を構成するための折り曲げ用の罫線Ｌ１１が設けられ、一方、第１側壁部３１Ａの罫線Ｌ３には、第１側壁部３１Ａと第３側壁部３３Ａとを接合するための糊代６が設けられている。因みに、糊代６は、第３側壁部３３Ａの内面側に糊等の接着剤にて接合される。
【００４２】
なお、フラップ７Ａは蓋５と第２側壁部３２Ａとの隙間を閉塞するものであり、フラップ７Ｂは蓋５と第４側壁部３４Ａとの隙間を閉塞するものであり、これらフラップ７Ａ、７Ｂと第２側壁部３２Ａ及び第４側壁部３４Ａとの境界に設けられた折り曲げ用の罫線Ｌ１２、Ｌ１３及び罫線Ｌ１１には、フラップ７Ａ、７Ｂ及び蓋５を容易に除去するためのミシン目状のスリット（切り込み）が設けられている。
【００４３】
因みに、本実施形態に係る組立式梱包箱１では、商品Ｃを陳列する際に、図３に示すように、組立式梱包箱１の前面側を大きく開口させるので、図４に示すように、第１側壁部３１Ａ、第２側壁部３２Ａ及び第４側壁部３４Ａの一部を除去するためのジッパー部８が設けられている。
【００４４】
また、傾斜フラップ４の外縁のうち第２側壁部３２Ａ側は、図４及び図８に示すように、第４側壁部３４Ａ側に凹むように湾曲した凹部４Ｂが設けられ、一方、板状部４Ａには、第１辺部３１側から先端側に延びるともに、その厚み方向に突出した圧印加工による突条４Ｃが設けられている。
【００４５】
なお、突条４Ｃ、ジッパー部８及びスリット等は、展開部材２の外形状を打ち抜き成形する際に同時形成される。
４．組立式梱包箱の組立
組立式梱包箱１が潰された状態では、第２側壁部３２Ａ及び第３側壁部３３Ａが第４側壁部３４Ａに接触し、かつ、第１底壁フラップ３２Ｂ〜第３底壁フラップ３３Ｂ及び傾斜フラップ４が潰れた箱部３内に折り込まれた状態となっている。
【００４６】
そして、第１側壁部３１Ａ〜第４側壁部３４Ａにて構成される平行四辺形が長方形状となるように、潰れた組立式梱包箱１を起こしていくと、図９→図１０→図１１→図１２→図１３の順に示すように、第１底壁フラップ３２Ｂ〜第３底壁フラップ３３Ｂが、第２側壁部３２Ａ及び第４側壁部３４Ａから離間して底部３Ａが形成されていくとともに、傾斜フラップ４が底部３Ａに対して傾斜した状態となる。
【００４７】
すなわち、第１底壁フラップ３２Ｂの一部（図６のＰ１部分）が傾斜フラップ４に接合されているとともに、第１底壁フラップ３２Ｂには、谷折り状に箱部３の内方側に向けて折り込まれる第１折り込み線Ｌ１が設けられ、かつ、第２底壁フラップ３４Ｂの一部（図６のＰ２部分）が第３底壁フラップ３３Ｂに接合されているとともに、第２底壁フラップ３４Ｂには、谷折り状に箱部３の内方側に向けて折り込まれる第２折り込み線Ｌ２が設けられているので、第１側壁部３１Ａ〜第４側壁部３４Ａにて構成される平行四辺形が長方形状となるように、潰れた組立式梱包箱１を起こしていくと、第１底壁フラップ３２Ｂ〜第３底壁フラップ３３Ｂ及び傾斜フラップ４が底部３Ａ側に引き込まれていく（図９〜図１２参照）。
【００４８】
このとき、係合フラップ３２Ｃ、３４Ｃは、図１４→図１５→図１６→図６の順に示すように移動していき、最終的には、図６に示すように互いに係合し、底部３Ａが形成される。
【００４９】
つまり、係合フラップ３２Ｃ、３４Ｃに折り込み線３２Ｆ、３４Ｆが設けられているので、係合フラップ３２Ｃ、３４Ｃの係合部３２Ｄ、３４Ｄが互いに衝突すると、図１６に示すように、係合部３２Ｄ、３４Ｄが内側に折り曲がるため、係合部３２Ｄ、３４Ｄの平面部が互いに擦れながら、係合部３２Ｄは第１辺部３１（第１側壁部３１Ａ）側に移動し、係合部３４Ｄは第３辺部３３（第３側壁部３３Ａ）側に移動する。
【００５０】
そして、第１側壁部３１Ａ及び第３側壁部３３Ａが第２側壁部３２Ａ及び第４側壁部３４Ａに対してほぼ直交した状態となると、折り込み線３２Ｆ、３４Ｆで折り曲がっていた係合部３２Ｄ、３４Ｄが元の状態に復元するので、図６に示すように、係合フラップ３２Ｃ、３４Ｃが互いに係合する。
【００５１】
５．本実施形態に係る組立式梱包箱の特徴
本実施形態では、傾斜フラップ４の延出寸法Ｌが第１側壁部３１Ａと第３側壁部３３Ａとの間の距離寸法Ｌｏより大きいので、図５に示すように、傾斜フラップ４は底部３Ａ側において、底部３Ａに対して傾斜した状態となる。
【００５２】
したがって、商品Ｃが箱部３に収納された状態で商品Ｃが底部３Ａに対して傾斜した状態となるので、組立式梱包箱１の蓋５を開け、商品Ｃが箱詰めされた状態で組立式梱包箱１ごと商品Ｃを陳列すれば、図２に示すように、その時点で、商品Ｃを傾斜させた状態で陳列することができる。
【００５３】
また、傾斜フラップ４は、その板状部４Ａが第１辺部３１と平行となるように第１側壁部３１Ａに対して揺動可能に連結されているので、潰れた状態の組立式梱包箱１を起こすように開くことにより、図９〜図１３に示すように、傾斜フラップ４が自動的に底部３Ａ側に傾斜した状態となる。
【００５４】
以上のように、本実施形態では、容易に商品Ｃを傾斜させた状態で陳列することができるとともに、商品Ｃが箱詰めされた状態で傾斜陳列可能な箱を容易に組み立てることができる。
【００５５】
ところで、潰れた状態の組立式梱包箱１を開く際には、傾斜フラップ４全体が湾曲するので、本実施形態のごとく、傾斜フラップ４の外縁のうち第２側壁部３２Ａ側を第４側壁部３４Ａ側に凹むように湾曲させれば、組立式梱包箱１を開く際に傾斜フラップ４の第２側壁部３２Ａ側を第２側壁部３２Ａに沿うような形状とすることができる。
【００５６】
したがって、組立式梱包箱１を開く際に、傾斜フラップ４をスムーズに傾斜状態まで変位させることができるので、組立式梱包箱１を開く際の作業性を向上させることができる。
【００５７】
また、傾斜フラップ４の板状部４Ａには、第１辺部３１側から先端側に延びるともに、その厚み方向に突出した突条４Ｃが設けられているので、傾斜フラップ４の曲げ剛性を高めることができ、商品Ｃを確実に傾斜状態として陳列することができる。
【００５８】
さらに、本実施形態では、第１〜第４側壁部３４Ａ、傾斜フラップ４及び第１〜３底壁フラップ３２Ｂ、３Ｂ、３４Ｂは、１枚の板状部材から打ち抜かれた展開部材２が折り曲げられて形成されているので、展開部材２を打ち抜くための木型を簡素な構成とすることができ、組立式梱包箱１の生産性を向上させることができる。
【００５９】
（その他の実施形態）
上述の実施形態では、傾斜フラップ４の先端側が第２側壁部３２Ａに接触することにより、傾斜フラップ４の傾斜状態が保持されたが、本発明はこれに限定されるものではなく、例えば傾斜フラップ４の先端側が底部３Ａ側に折り曲げられ、先端部が底部３Ａに接触した状態であってもよい。
【００６０】
また、上述の実施形態に係る組立式梱包箱１は、第１側壁部３１Ａを前面側に配置したものであったが、本発明はこれに限定されるものではなく、例えば第３側壁部３３Ａを前面側に配置してもよい。
【００６１】
また、上述の実施形態では、平板状の厚みが薄い袋状にパッケージングされた商品Ｃを収納するための組立式梱包箱に本発明を適用したが、本発明の適用はこれに限定されるものではない。
【００６２】
また、本発明は、特許請求の範囲に記載された発明の趣旨に合致するものであればよく、上述の実施形態に限定されるものではない。
【図面の簡単な説明】
【００６３】
【図１】商品Ｃの外観を示す図である。
【図２】商品Ｃが本実施形態に係る組立式梱包箱１に収納された状態を示す図である。
【図３】組立式梱包箱１の上部を除去した状態を示す図である。
【図４】組立式梱包箱１の展開図である。
【図５】組立式梱包箱１の斜視図である。
【図６】組立式梱包箱１の下面図である。
【図７】底部３Ａを内側から見た図である。
【図８】組立式梱包箱１の内部を上方側から見た図である。
【図９】組立式梱包箱１の組立過程を上方側から見た図である。
【図１０】組立式梱包箱１の組立過程を上方側から見た図である。
【図１１】組立式梱包箱１の組立過程を上方側から見た図である。
【図１２】組立式梱包箱１の組立過程を上方側から見た図である。
【図１３】組立式梱包箱１の組立過程を上方側から見た図である。
【図１４】組立式梱包箱１の組立過程を下面側から見た図である。
【図１５】組立式梱包箱１の組立過程を下面側から見た図である。
【図１６】組立式梱包箱１の組立過程を下面側から見た図である。
【符号の説明】
【００６４】
１…組立式梱包箱、２…展開部材、３…箱部、３Ａ…底部、４…傾斜フラップ、
４Ａ…板状部、４Ｂ…凹部、４Ｃ…突条、５…蓋、６…糊代、７Ａ…フラップ、
７Ｂ…フラップ、８…ジッパー部、３１…第１辺部、３１Ａ…側壁部、
３１Ａ…第１側壁部、３２…第２辺部、３２Ａ…第２側壁部、
３２Ｂ…第１底壁フラップ、３２Ｃ…係合フラップ、３２Ｄ…係合部、
３２Ｅ…斜辺部、３２Ｆ…折り込み線、３３…第３辺部、３３Ａ…第３側壁部、
３３Ｂ…第３底壁フラップ、３４…第４辺部、３４Ａ…第４側壁部、
３４Ｂ…第２底壁フラップ、３４Ｃ…係合フラップ、３４Ｄ…係合部。
【図１】
0004678040.tif 000002
【図２】
0004678040.tif 000003
【図３】
0004678040.tif 000004
【図４】
0004678040.tif 000005
【図５】
0004678040.tif 000006
【図６】
0004678040.tif 000007
【図７】
0004678040.tif 000008
【図８】
0004678040.tif 000009
【図９】
0004678040.tif 000010
【図１０】
0004678040.tif 000011
【図１１】
0004678040.tif 000012
【図１２】
0004678040.tif 000013
【図１３】
0004678040.tif 000014
【図１４】
0004678040.tif 000015
【図１５】
0004678040.tif 000016
【図１６】
0004678040.tif 000017